(57)【要約】【課題】ユーザーが、容易に、イヤホンの左右割り当て（アサイン）を設定可能な手段を提供すること。【解決手段】イヤホン１は、マイク３、４と、スピーカー７と、を有する本体と、マイク５、６と、スピーカー８と、を有する本体と、ＣＰＵ２と、を備える。ＣＰＵ２は、いずれかのマイク３、４、又は、マイク５、６が音声を集音した場合、音声を集音したマイク３、４、又は、マイク５、６が含まれる本体を、右耳用又は左耳用に設定する。例えば、ＣＰＵ２は、いずれかのマイク３、４、又は、マイク５、６が所定パターンの音声（本体が３回叩かれた音声）を集音した場合、音声を集音したマイク３、４、又は、マイク５、６が含まれる本体を、右耳用又は左耳用に設定する。【選択図】図１
2019208098.tif 000002
【特許請求の範囲】
【請求項１】
第１マイクと、第１スピーカーと、を有する第１本体と、
第２マイクと、第２スピーカーと、を有する第２本体と、
制御部と、を備え、
前記制御部は、いずれかのマイクが音声を集音した場合、音声を集音したマイクが含まれる本体を、右耳用又は左耳用に設定することを特徴とするイヤホン。
【請求項２】
前記制御部は、いずれかのマイクが、いずれかの本体が叩かれた音声を集音した場合、音声を集音したマイクが含まれる本体を、右耳用又は左耳用に設定することを特徴とする請求項１に記載のイヤホン。
【請求項３】
前記制御部は、いずれかのマイクが所定パターンの音声を集音した場合、音声を集音したマイクが含まれる本体を、右耳用又は左耳用に設定することを特徴とする請求項１又は２に記載のイヤホン。
【請求項４】
前記制御部は、指示された本体が有するマイクが音声を集音した場合、音声を集音したマイクが含まれる本体を、右耳用又は左耳用に設定することを特徴とする請求項１に記載のイヤホン。
【請求項５】
前記第１マイク、及び、前記第２マイクは、それぞれ、ノイズキャンセル用のマイクであることを特徴とする請求項１〜４のいずれか１項に記載のイヤホン。
【請求項６】
前記制御部は、右耳用に設定した本体が有するスピーカーに、右音声信号を出力し、左耳用に設定した本体が有するマイクに、左音声信号を出力することを特徴とする請求項１〜５のいずれか１項に記載のイヤホン。
【請求項７】
前記第１本体、及び、前記第２本体は、さらに、ボタンを備え、
前記制御部は、本体を、右耳用又は左耳用に設定した後、ボタンに所定の機能を割り当てることを特徴とする請求項１〜６のいずれか１項に記載のイヤホン。
【請求項８】
電源のオン／オフを受け付けるための第１電源ボタンと、第１スピーカーと、を有する第１本体と、
電源のオン／オフを受け付けるための第２電源ボタンと、第２スピーカーと、を有する第２本体と、
制御部と、を備え、
前記制御部は、
電源ボタンにより、いずれかの本体の電源のオンを受け付けた場合、他方の本体を探索し、
他方の本体が存在しないと判断した場合、電源のオンを受け付けた本体を、右耳用又は左耳用に設定することを特徴とするイヤホン。
【請求項９】
第１マイクと、第１スピーカーと、を有する第１本体と、
第２マイクと、第２スピーカーと、を有する第２本体と、
を備えるイヤホンの設定方法であって、
いずれかのマイクが音声を集音した場合、音声を集音したマイクが含まれる本体を、右耳用又は左耳用に設定することを特徴とするイヤホンの設定方法。
【発明の詳細な説明】
【技術分野】
【０００１】
本発明は、ステレオタイプのイヤホン、及び、イヤホンの設定方法に関する。
【背景技術】
【０００２】
ステレオタイプのイヤホンは、スピーカーを有する右耳用の本体と、スピーカーを有する左耳用の本体と、を備える。なお、「イヤホン」という文言は、ヘッドバンドを有するオーバーヘッドホン等のヘッドホン、インナーイヤータイプのイヤホン等その他のイヤホンを含む。上述のように、ステレオタイプのイヤホンは、右耳用の本体と、左耳用の本体と、を有しているため、左右の作り分けが必要となる。また、ユーザーは、イヤホンを耳に装着するときに、右耳用であるか、左耳用であるか、を識別する必要がある。
【先行技術文献】
【特許文献】
【０００３】
【特許文献１】特開２００４−２７４５４０号公報
【発明の概要】
【発明が解決しようとする課題】
【０００４】
特許文献１には、ユーザーがイヤホンを耳へ装着する際に、右耳用か左耳用かの確認を容易に行うことができる発明が開示されている。
【０００５】
本発明の目的は、ユーザーが、容易に、イヤホンの左右割り当て（アサイン）を設定可能な手段を提供することである。
【課題を解決するための手段】
【０００６】
第１の発明のイヤホンは、第１マイクと、第１スピーカーと、を有する第１本体と、第２マイクと、第２スピーカーと、を有する第２本体と、制御部と、を備え、前記制御部は、いずれかのマイクが音声を集音した場合、音声を集音したマイクが含まれる本体を、右耳用又は左耳用に設定することを特徴とする。
【０００７】
本発明では、制御部は、いずれかのマイクが音声を集音した場合、音声を集音したマイクが含まれる本体を、右耳用又は左耳用に決定する。例えば、ユーザーは、いずれかの本体を叩いたとする。マイクは、本体が叩かれた音声を集音する。制御部は、音声を集音したマイクが含まれる本体、すなわち、ユーザーにより叩かれた本体を、右耳用又は左耳用に設定する。このように、本発明によれば、ユーザーは、いずれかの本体を叩くだけで、右耳用、又は、左耳用に設定できるため、容易に、イヤホンの左右割り当て（アサイン）を設定することができる。また、イヤホン本体の左右を作り分ける必要がない。
【０００８】
第２の発明のイヤホンは、第１の発明のイヤホンにおいて、前記制御部は、いずれかのマイクが、いずれかの本体が叩かれた音声を集音した場合、音声を集音したマイクが含まれる本体を、右耳用又は左耳用に設定することを特徴とする。
【０００９】
第３の発明のイヤホンは、第１又は第２の発明のイヤホンにおいて、前記制御部は、いずれかのマイクが所定パターンの音声を集音した場合、音声を集音したマイクが含まれる本体を、右耳用又は左耳用に設定することを特徴とする。
【００１０】
本発明では、制御部は、いずれかのマイクが所定パターンの音声、例えば、本体が３回叩かれた音声を集音した場合、音声を集音したマイクが含まれる本体を、右耳用又は左耳用に設定する。これにより、ユーザーは、いずれかの本体を所定回数叩くだけで、右耳用、又は、左耳用に設定できる。また、所定パターンの音声が集音されたときのみ、設定が行われるため、誤設定の発生が防止される。
【００１１】
第４の発明のイヤホンは、第１の発明のイヤホンにおいて、前記制御部は、指示された本体が有するマイクが音声を集音した場合、音声を集音したマイクが含まれる本体を、右耳用又は左耳用に設定することを特徴とする。
【００１２】
例えば、イヤホンの設定を行うためのアプリケーションが、スマートフォン等にインストールされる。アプリケーションは、「右耳に装着したイヤホンを叩いてください。」等の表示を行い、ユーザーに、装着したイヤホン（本体）を叩くように指示する。ユーザーは、右耳に装着したイヤホンを叩く。マイクは、本体が叩かれた音声を集音する。この場合、制御部は、指示された右耳に装着された本体が有するマイクが音声を集音したため、右耳に装着された本体を、右耳用に設定する。
【００１３】
第５の発明のイヤホンは、第１〜第４のいずれかの発明のイヤホンにおいて、前記第１マイク、及び、前記第２マイクは、それぞれ、ノイズキャンセル用のマイクであることを特徴とする。
【００１４】
本発明では、第１マイク、及び、第２マイクは、それぞれ、ノイズキャンセル用のマイクである。このため、イヤホンの左右割り当て設定のために、新たにマイクを設ける必要がない。
【００１５】
第６の発明のイヤホンは、第１〜第５のいずれかの発明のイヤホンにおいて、前記制御部は、右耳用に設定した本体が有するスピーカーに、右音声信号を出力し、左耳用に設定した本体が有するマイクに、左音声信号を出力することを特徴とする。
【００１６】
第７の発明のイヤホンは、第１〜第６のいずれかの発明のイヤホンにおいて、前記第１本体、及び、前記第２本体は、さらに、ボタンを備え、前記制御部は、本体を、右耳用又は左耳用に設定した後、ボタンに所定の機能を割り当てることを特徴とする。
【００１７】
第８の発明のイヤホンは、第１〜第７のいずれかの発明のイヤホンにおいて、電源のオン／オフを受け付けるための第１電源ボタンと、第１スピーカーと、を有する第１本体と、電源のオン／オフを受け付けるための第２電源ボタンと、第２スピーカーと、を有する第２本体と、制御部と、を備え、前記制御部は、電源ボタンにより、いずれかの本体の電源のオンを受け付けた場合、他方の本体を探索し、他方の本体が存在しないと判断した場合、電源のオンを受け付けた本体を、右耳用又は左耳用に設定することを特徴とする。
【００１８】
本発明では、制御部は、電源ボタンにより、いずれかの本体の電源のオンを受け付けた場合、他方の本体を探索し、他方の本体が存在しないと判断した場合、電源のオンを受け付けた本体を、右耳用又は左耳用に設定する。これにより、ユーザーは、いずれかの本体の電源をオンするのみで、右耳用、又は、左耳用に設定できるため、容易に、イヤホンの左右割り当て（アサイン）を設定することができる。また、音声を集音するためのマイクも不要である。
【００１９】
第９の発明のイヤホンの設定方法は、第１マイクと、第１スピーカーと、を有する第１本体と、第２マイクと、第２スピーカーと、を有する第２本体と、を備えるイヤホンの設定方法であって、いずれかのマイクが音声を集音した場合、音声を集音したマイクが含まれる本体を、右耳用又は左耳用に設定することを特徴とする。
【発明の効果】
【００２０】
本発明によれば、ユーザーは、容易に、イヤホンの左右割り当て（アサイン）を設定することができる。
【図面の簡単な説明】
【００２１】
【図１】本発明の第１実施形態に係るイヤホンの構成を示すブロック図である。
【図２】本発明の第２実施形態に係るイヤホンの構成を示すブロック図である。
【発明を実施するための形態】
【００２２】
以下、本発明の実施形態について説明する。
【００２３】
（第１実施形態）
図１は、本発明の第１実施形態に係るイヤホンの構成を示すブロック図である。イヤホン１は、有線イヤホンであり、例えば、ＵＳＢによりスマートフォンに接続され、スマートフォンから出力される音声信号に基づいて、音声を再生する。図１に示すように、イヤホン１は、ＣＰＵ２、マイク３〜６、スピーカー７、８を備える。
【００２４】
ＣＰＵ（Central Processing Unit）２（制御部）は、イヤホン１を構成する各部を制御する。なお、イヤホン１は、ノイズキャンセル回路を備えており、ノイズキャンセル回路は、マイク３〜６により集音された音声に基づいて、ノイズキャンセルを行う。マイク３は、フィードフォワード用のマイクである。マイク４は、フィードバック用のマイクである。マイク５は、フィードフォワード用のマイクである。マイク６は、フィードバック用のマイクである。スピーカー７、８は、音声信号に基づいて、音声を再生する。
【００２５】
マイク３、４（第１マイク）と、スピーカー７（第１スピーカー）とは、１つの筐体に設けられ、本体（第１本体）を構成する。また、マイク５、６（第２マイク）と、スピーカー８（第２スピーカー）とは、１つの筐体に設けられ、本体（第２本体）を構成する。ＣＰＵ２は、いずれかのマイク３、４、又は、マイク５、６が音声（例えば、いずれかの本体が叩かれた音声）を集音した場合、音声を集音したマイク３、４、又は、マイク５、６が含まれる本体を、左耳用、又は、右耳用に設定する。例えば、ＣＰＵ２は、所定パターンの音声を集音した場合、音声を集音したマイクが含まれる本体を、右耳用又は左耳用に設定する。例えば、所定パターンは、本体が３回叩かれた音声のパターンである。
【００２６】
例えば、ユーザーが、マイク３、４とスピーカー７とを有する本体を右耳に装着し、マイク５、６とスピーカー８とを有する本体を左耳に装着したとする。ユーザーが、右耳に装着した本体を３回叩いたとする。この場合、マイク３、４が、所定パターンの音声を集音するため、ＣＰＵ２は、マイク３、４を有する本体を右耳用に設定する。また、ＣＰＵ２は、マイク５、６を有する本体を左耳用に設定する。この場合、ＣＰＵ２は、右耳用に設定した本体が有するスピーカー７に、右音声信号を出力する。ＣＰＵ２は、左耳用に設定した本体が有するスピーカー８に、左音声信号を出力する。
【００２７】
また、例えば、ユーザーが、マイク５、６とスピーカー８とを有する本体を右耳に装着し、マイク３、４とスピーカー７とを有する本体を左耳に装着したとする。ユーザーが、右耳に装着した本体を３回叩いたとする。この場合、マイク５、６が、所定パターンの音声を集音するため、ＣＰＵ２は、マイク５、６を有する本体を右耳用に設定する。また、ＣＰＵ２は、マイク３、４を有する本体を左耳用に設定する。この場合、ＣＰＵ２は、右耳用に設定した本体が有するスピーカー８に、右音声信号を出力する。ＣＰＵ２は、左耳用に設定した本体が有するスピーカー７に、左音声信号を出力する。なお、ＣＰＵ２は、スピーカー７に右音声信号を出力し、スピーカー８に左音声信号を出力する場合と、スピーカー８に右音声信号を出力し、スピーカー７に左音声信号を出力する場合とで、ＬＲＣＫを反転して左右の音を設定する。
【００２８】
ここで、イヤホン１が接続されたスマートフォン等にイヤホン１の設定アプリケーションがインストールされているとする。例えば、ユーザーが、マイク３、４とスピーカー７とを有する本体を右耳に装着し、マイク５、６とスピーカー８とを有する本体を左耳に装着したとする。ユーザーは、スマートフォン等にインストールされている設定アプリケーションを起動する。設定アプリケーションは、例えば、「右のイヤホンを叩いて下さい。」等のメッセージを表示し、ユーザーにイヤホン１のいずれかの本体を叩かせるアクションを指示する。ユーザーは、右耳に装着した本体を叩く。この場合、マイク３、４が、本体が叩かれた音声を集音するため、ＣＰＵ２は、マイク３、４を有する本体を右耳用に設定する。また、ＣＰＵ２は、マイク５、６を有する本体を左耳用に設定する。この場合、ＣＰＵ２は、右耳用に設定した本体が有するスピーカー７に、右音声信号を出力する。ＣＰＵ２は、左耳用に設定した本体が有するスピーカー８に、左音声信号を出力する。
【００２９】
また、例えば、ユーザーが、マイク５、６とスピーカー８とを有する本体を右耳に装着し、マイク３、４とスピーカー７とを有する本体を左耳に装着したとする。ユーザーは、スマートフォン等にインストールされている設定アプリケーションを起動する。設定アプリケーションは、例えば、「右のイヤホンを叩いて下さい。」等のメッセージを表示し、ユーザーにイヤホン１のいずれかの本体を叩かせるアクションを指示する。ユーザーは、右耳に装着した本体を叩く。この場合、マイク５、６が、本体が叩かれた音声を集音するため、ＣＰＵ２は、マイク５、６を有する本体を右耳用に設定する。また、ＣＰＵ２は、マイク３、４を有する本体を左耳用に設定する。この場合、ＣＰＵ２は、右耳用に設定した本体が有するスピーカー８に、右音声信号を出力する。ＣＰＵ２は、左耳用に設定した本体が有するスピーカー７に、左音声信号を出力する。
【００３０】
このように、ＣＰＵ２は、設定アプリケーションにより指示された本体（例えば、右耳に装着された本体）が有するマイク３、４、又は、マイク５、６が音声を集音した場合、音声を集音したマイクが含まれる本体を、右耳用又は左耳用に設定する。
【００３１】
なお、本実施形態では、イヤホン１は、ＣＰＵ２、ノイズキャンセル回路を備え、ＣＰＵ２が、イヤホン１の左右割り当て設定を行う場合について説明した。これに限らず、イヤホン１が接続されたスマートフォン等が備える制御部（ＣＰＵ等）が、イヤホン１の左右割り当て設定を行い、スマートフォン等が備えるノイズキャンセル回路が、ノイズキャンセルを行うようになっていてもよい。
【００３２】
以上説明したように、本実施形態では、ＣＰＵ２は、いずれかのマイク３、４、又は、マイク５、６が音声を集音した場合、音声を集音したマイクが含まれる本体を、右耳用又は左耳用に決定する。例えば、ユーザーは、いずれかの本体を叩いたとする。マイク３、４、又は、５、６は、本体が叩かれた音声を集音する。ＣＰＵ２は、音声を集音したマイクが含まれる本体、すなわち、ユーザーにより叩かれた本体を、右耳用又は左耳用に設定する。このように、本実施形態によれば、ユーザーは、いずれかの本体を叩くだけで、右耳用、又は、左耳用に設定できるため、容易に、イヤホンの左右割り当て（アサイン）を設定することができる。
【００３３】
また、本実施形態では、ＣＰＵ２は、いずれかのマイク３、４、又は、５、６が所定パターンの音声、例えば、本体が３回叩かれた音声を集音した場合、音声を集音したマイク３、４、又は、５、６が含まれる本体を、右耳用又は左耳用に設定する。これにより、ユーザーは、いずれかの本体を所定回数叩くだけで、右耳用、又は、左耳用に設定できる。また、所定パターンの音声が集音されたときのみ、設定が行われるため、誤設定の発生が防止される。
【００３４】
また、例えば、イヤホン１の設定を行うためのアプリケーションが、スマートフォン等にインストールされる。アプリケーションは、「右耳に装着したイヤホンを叩いてください。」等の表示を行い、ユーザーに、装着したイヤホン（本体）を叩くように指示する。ユーザーは、右耳に装着したイヤホンを叩く。マイク３、４、又は、５、６は、本体が叩かれた音声を集音する。この場合、ＣＰＵ２は、指示された右耳に装着された本体が有するマイク３、４、又は、マイク５、６が音声を集音したため、右耳に装着された本体を、右耳用に設定する。
【００３５】
また、本実施形態では、マイク３、４、及び、マイク５、６は、それぞれ、ノイズキャンセル用のマイクである。このため、イヤホン１の左右割り当て設定のために、新たにマイクを設ける必要がない。
【００３６】
（第２実施形態）
図２は、本発明の第２実施形態に係るイヤホンの構成を示すブロック図である。イヤホン１１は、無線イヤホンであり、例えば、スマートフォンに無線（例えば、Bluetooth（登録商標）規格）で接続され、スマートフォンから出力される音声信号に基づいて、音声を再生する。また、イヤホン１１は、耳に装着される２つの本体１０１と本体１０２とが、有線で接続されていない、完全ワイヤレスタイプ（TWS（True Wireless Stereo）のイヤホンである。図２に示すように、イヤホン１１は、本体１０２、２０２を備える。
【００３７】
本体１０１（第１本体）は、ＣＰＵ１０２と、マイク１０３、１０４と、スピーカー１０５と、を備える。ＣＰＵ１０２（制御部）は、本体１０１を構成する各部を制御する。なお、本体１０１は、ノイズキャンセル回路を備えており、ノイズキャンセル回路は、マイク１０３、１０４により集音された音声に基づいて、ノイズキャンセルを行う。マイク１０３（第１マイク）は、フィードフォワード用のマイクである。マイク１０４（第１マイク）は、フィードバック用のマイクである。スピーカー１０５（第１スピーカー）は、音声信号に基づいて、音声を再生する。
【００３８】
本体２０１（第２本体）は、ＣＰＵ２０２と、マイク２０３、２０４と、スピーカー２０５と、を備える。ＣＰＵ２０２（制御部）は、本体２０１を構成する各部を制御する。なお、本体２０１は、ノイズキャンセル回路を備えており、ノイズキャンセル回路は、マイク２０３、２０４により集音された音声に基づいて、ノイズキャンセルを行う。マイク２０３（第２マイク）は、フィードフォワード用のマイクである。マイク２０４（第２マイク）は、フィードバック用のマイクである。スピーカー２０５（第２スピーカー）は、音声信号に基づいて、音声を再生する。
【００３９】
ＣＰＵ１０２、２０２は、いずれかのマイク１０３、１０４、又は、マイク２０３、２０４が音声（例えば、いずれかの本体が叩かれた音声）を集音した場合、音声を集音したマイク１０３、１０４、又は、マイク１０５、１０６が含まれる本体１０１、２０１を、左耳用、又は、右耳用に設定する。例えば、ＣＰＵ１０２、２０２は、所定パターンの音声を集音した場合、音声を集音したマイクが含まれる本体を、右耳用又は左耳用に設定する。例えば、所定パターンは、本体が３回叩かれた音声のパターンである。
【００４０】
例えば、ユーザーが、本体１０１を右耳に装着し、本体２０１を左耳に装着したとする。ユーザーは、イヤホン１１の電源をオンにする。ユーザーが、右耳に装着した本体１０１を３回叩いたとする。この場合、マイク１０３、１０４が、所定パターンの音声を集音するため、ＣＰＵ１０２は、マイク１０３、１０４を有する本体１０１を右耳用に設定する。また、ＣＰＵ２０２は、マイク２０３、２０４を有する本体２０１を左耳用に設定する。この場合、ＣＰＵ１０２は、右耳用に設定した本体１０１が有するスピーカー１０５に、右音声信号を出力する。ＣＰＵ２０２は、左耳用に設定した本体２０１が有するスピーカー２０５に、左音声信号を出力する。
【００４１】
また、例えば、ユーザーが、本体２０１を右耳に装着し、本体１０１を左耳に装着したとする。ユーザーは、イヤホン１１の電源をオンする。ユーザーが、右耳に装着した本体２０１を３回叩いたとする。この場合、マイク２０３、２０４が、所定パターンの音声を集音するため、ＣＰＵ２０２は、マイク２０３、２０４を有する本体２０１を右耳用に設定する。また、ＣＰＵ１０２は、マイク１０３、１０４を有する本体１０１を左耳用に設定する。この場合、ＣＰＵ２０２は、右耳用に設定した本体２０１が有するスピーカー２０５に、右音声信号を出力する。ＣＰＵ１０２は、左耳用に設定した本体が有するスピーカー１０５に、左音声信号を出力する。なお、ＣＰＵ１０２、２０２は、スピーカー１０５に右音声信号を出力し、スピーカー２０５に左音声信号を出力する場合と、スピーカー２０５に右音声信号を出力し、スピーカー１０５に左音声信号を出力する場合とで、ＬＲＣＫを反転して左右の音を設定する。
【００４２】
ここで、イヤホン１１が接続されたスマートフォン等にイヤホン１１の設定アプリケーションがインストールされているとする。例えば、ユーザーが、本体１０１を右耳に装着し、２０１本体を左耳に装着したとする。ユーザーは、イヤホン１１の電源をオンする。ユーザーは、スマートフォン等にインストールされている設定アプリケーションを起動する。設定アプリケーションは、例えば、「右のイヤホンを叩いて下さい。」等のメッセージを表示し、ユーザーにイヤホン１１のいずれかの本体１０１、２０１を叩かせるアクションを指示する。ユーザーは、右耳に装着した本体１０１を叩く。この場合、マイク１０３、１０４が、本体１０１が叩かれた音声を集音するため、ＣＰＵ１０２は、マイク１０３、１０４を有する本体１０１を右耳用に設定する。また、ＣＰＵ２０２は、マイク２０３、２０４を有する本体２０１を左耳用に設定する。この場合、ＣＰＵ１０２は、右耳用に設定した本体１０１が有するスピーカー１０５に、右音声信号を出力する。ＣＰＵ２０２は、左耳用に設定した本体２０１が有するスピーカー２０５に、左音声信号を出力する。また、ＣＰＵ１０２、２０２は、本体１０１、２０１が備える操作ボタンに所定の機能を割り当てる。
【００４３】
また、例えば、ユーザーが、本体２０１を右耳に装着し、本体１０１を左耳に装着したとする。ユーザーは、イヤホン１１の電源をオンする。ユーザーは、スマートフォン等にインストールされている設定アプリケーションを起動する。設定アプリケーションは、例えば、「右のイヤホンを叩いて下さい。」等のメッセージを表示し、ユーザーにイヤホン１１のいずれかの本体１０１、２０１を叩かせるアクションを指示する。ユーザーは、右耳に装着した本体２０１を叩く。この場合、マイク２０３、２０４が、本体２０１が叩かれた音声を集音するため、ＣＰＵ２０２は、マイク２０３、２０４を有する本体２０１を右耳用に設定する。また、ＣＰＵ１０２は、マイク１０３、１０４を有する本体１０１を左耳用に設定する。この場合、ＣＰＵ２０２は、右耳用に設定した本体２０１が有するスピーカー２０５に、右音声信号を出力する。ＣＰＵ１０２は、左耳用に設定した本体１０１が有するスピーカー１０５に、左音声信号を出力する。ＣＰＵ１０２、２０２は、本体１０１、２０１が備える操作ボタンに所定の機能を割り当てる。
【００４４】
本体１０１は、さらに、電源のオン／オフを受け付けるための電源ボタン（第１電源ボタン）を備える。本体２０１は、さらに、電源のオン／オフを受け付けるための電源ボタン（第２電源ボタン）を備える。ＣＰＵ１０２、２０２は、電源ボタンにより、いずれかの本体の電源のオンを受け付けた場合、他方の本体を探索する。ここで、他方の本体の電源がオンになっていない場合、ＣＰＵ１０２、２０２は、他方の本体を見つけることができないため、他方の本体が存在しないと判断する。ＣＰＵ１０２、２０２は、他方の本体が存在しないと判断した場合、電源のオンを受け付けた本体を、右耳用又は左耳用に設定する。
【００４５】
例えば、ユーザーが、本体１０１を右耳に装着し、本体２０１を左耳に装着したとする。ユーザーは、電源ボタンにより、本体１０１の電源をオンにする。ＣＰＵ１０２は、電源ボタンにより、本体１０１の電源のオンを受け付ける。ＣＰＵ１０２は、本体２０１を探索する。ＣＰＵ１０２は、本体２０１が存在しないと判断した場合、本体１０１を右耳用に設定する。ユーザーは、電源ボタンにより、本体２０１の電源をオンにする。ＣＰＵ２０２は、電源ボタンにより、本体２０１の電源のオンを受け付ける。ＣＰＵ２０２は、本体１０１を探索する。本体１０１の電源がオンであるため、ＣＰＵ２０２は、本体１０１が存在すると判断し、本体２０１を左耳用に設定する。イヤホン１１が接続されているスマートフォン等（ソース）は、ＣＰＵ１０２、２０２により設定された左右に合わせて、左右の音声出力を設定する。ＣＰＵ１０２、２０２は、本体１０１、２０１が備える操作ボタンに所定の機能を割り当てる。
【００４６】
以上説明したように、本実施形態では、ＣＰＵ１０２、２０２は、電源ボタンにより、いずれかの本体の電源のオンを受け付けた場合、他方の本体を探索し、他方の本体が存在しないと判断した場合、電源のオンを受け付けた本体を、右耳用又は左耳用に設定する。これにより、ユーザーは、いずれかの本体の電源をオンするのみで、右耳用、又は、左耳用に設定できるため、容易に、イヤホンの左右割り当て（アサイン）を設定することができる。また、音声を集音するためのマイク１０３、１０４、２０３、２０４が不要になる。
【００４７】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００４８】
本発明は、ステレオタイプのイヤホン、及び、イヤホンの設定方法に好適に採用され得る。
【符号の説明】
【００４９】
１、１１  イヤホン
２、１０２、２０２  ＣＰＵ（制御部）
３、４、１０３、１０４  マイク（第１マイク）
５、６、２０３、２０４  マイク（第２マイク）
７、１０５  スピーカー（第１スピーカー）
８、２０５  スピーカー（第２スピーカー）
１０１  本体（第１本体）
２０１  本体（第２本体）
【図１】
2019208098.tif 000003
【図２】
2019208098.tif 000004